(57)【要約】【課題】入力画像データを、５色以上の色材を使用する記録装置で出力するための出力画像データに色変換する場合に、色分解順に起因する画像障害を解消して画像品質を向上させることが可能な色変換装置を提供することを目的とする。【解決手段】本発明に係る色変換装置は、入力画像データを５色以上の出力画像データに直接変換するための色変換テーブル１２４と、色変換テーブル１２４を使用して、入力画像データを５色以上の出力画像データに直接変換する色変換部１２１とを備えている。【選択図】図２
2010233200.tif 000002
【特許請求の範囲】
【請求項１】
入力画像データを、５色以上の色材を使用する記録装置で出力するための出力画像データに色変換する色変換装置において、
前記入力画像データを前記出力画像データに直接変換するための色変換テーブルと、
前記色変換テーブルを使用して、前記入力画像データを前記出力画像データに直接変換する色変換手段と、
を備えたことを特徴とする色変換装置。
【請求項２】
前記色変換テーブルは、前記出力画像データを表現する色材の数が最小となるように構成されていることを特徴とする請求項１に記載の色変換装置。
【請求項３】
前記色変換テーブルは、前記出力画像データを表現する色材の数の最小数をＮとした場合に、Ｎ＋１の色材で表現される出力画像データとなるように構成されていることを特徴とする請求項１に記載の色変換装置。
【請求項４】
前記色変換テーブルは、前記入力画像データがＲＧＢデータであり、かつ、Ｒ＝Ｇ＝Ｂである場合は、前記記録装置で使用される全ての色材を使用した出力画像データに変換するように構成されていることを特徴とする請求項１に記載の色変換装置。
【請求項５】
前記色変換テーブルは、前記入力画像データがＲＧＢデータであり、かつ、Ｒ＝Ｇ＝Ｂである場合は、前記記録装置で使用される全ての色材の数をＰとした場合に、Ｐ−１の数の色材を用いる出力画像データに変換するように構成されていることを特徴とする請求項１に記載の色変換装置。
【請求項６】
前記色変換テーブルは、前記色変換と濃度補正とを同時に行うように構成されていることを特徴とする請求項１ないし請求項５のいずれか１つに記載の色変換装置。
【請求項７】
前記色変換テーブルは、明度または濃度に応じて、前記出力画像データを表現する色材の数を変更するように構成されていることを特徴とする請求項１ないし請求項６のいずれか１つに記載の色変換装置。
【請求項８】
前記５色以上の色材には、Ｋを含み、
前記色変換テーブルは、前記５色以上の色材の色のうちのＫを除く他の色のそれぞれについて、シャドー側の色を、該他の色の一の色材とＫとにより表現することを特徴とする請求項７に記載の色変換装置。
【請求項９】
前記色変換テーブルは、明度または濃度に応じて、前記記録装置で使用される全ての色材を使用した出力画像データに変換するように構成されていることを特徴とする請求項８に記載の色変換装置。
【請求項１０】
前記色変換テーブルは、ＣＩＥＬＡＢ  Ｄ５０−２°環境において、明度（Ｌ＊）が６０以下、または、Ｋ成分濃度が０．５５以上の場合には、前記記録装置で使用される全ての色材を使用した出力画像データに変換するように構成されていることを特徴とする請求項９に記載の色変換装置。
【請求項１１】
前記色変換テーブルは、前記入力画像データがＲＧＢデータであり、かつ、Ｒ、Ｇ、Ｂデータのいずれもが最大または最小以外である場合には、前記記録装置で使用される全ての色材を使用した出力画像データに変換するように構成されていることを特徴とする請求項１ないし請求項１０のいずれか１つに記載の色変換装置。
【請求項１２】
前記５色以上の色材には、ＣＭＹＫと、当該ＣＭＹＫいずれか２色を組み合わせて表現可能な色の色材が含まれることを特徴とする請求項１ないし請求項１１のいずれか１つに記載の色変換装置。
【請求項１３】
前記５色以上の色材には、ＣＭＹＫと、当該ＣＭＹＫのいずれかを低濃度または高濃度にした色の色材が含まれることを特徴とする請求項１ないし請求項１１のいずれか１つに記載の色変換装置。
【請求項１４】
前記５色以上の色材には、ＣＭＹＫと、白色が含まれることを特徴とする請求項１ないし請求項１３のいずれか１つに記載の色変換装置。
【請求項１５】
前記色変換テーブルは、前記入力画像データがＲＧＢデータであり、かつ、Ｒ＝Ｇ＝Ｂである場合は、Ｋのみの出力画像データに変換するように構成されていることを特徴とする請求項１ないし請求項１１のいずれか１つに記載の色変換装置。 
【請求項１６】
前記５色以上の色材には、金属色が含まれることを特徴とする請求項１ないし請求項１１のいずれか１つに記載の色変換装置。 
【請求項１７】
前記色変換テーブルは、前記入力画像データに応じて金属色に置換するように構成されていることを特徴とする請求項１６に記載の色変換装置。 
【請求項１８】
前記色変換手段は、前記入力画像データから金属部分を検出し、前記色変換テーブルを使用して、金属色に置換することを特徴とする請求項１７に記載の色変換装置。
【請求項１９】
コンピュータを、請求項１ないし請求項１８のいずれか１つに記載の発明の各手段として機能させるためのコンピュータが実行可能なプログラム。
【請求項２０】
請求項１９に記載のプログラムを格納したことを特徴とするコンピュータが読み取り可能な記録媒体。
【請求項２１】
入力画像データを、５色以上の色材を使用する記録装置で出力するための出力画像データに色変換する色変換方法において、
前記入力画像データを前記出力画像データに直接変換するための色変換テーブルを使用して、前記入力画像データを前記出力画像データに直接変換する色変換工程を含むことを特徴とする色変換方法。
【請求項２２】
画像データを記録装置に出力する情報処理装置と、５色以上の色材を使用し、かつ、前記情報処理装置から出力される画像データに応じて印字出力する前記記録装置とで構成される画像処理システムにおいて、
前記請求項１ないし請求項１７のいずれか１つに記載の色変換装置を前記情報処理装置または前記記録装置に搭載したことを特徴とする画像処理システム。
【発明の詳細な説明】
【技術分野】
【０００１】
本発明は、色変換装置、色変換方法、画像処理システム、コンピュータが実行可能なプログラム、およびコンピュータが読み取り可能な記録媒体に関し、詳細には、入力画像データを、５色以上の色材を使用する記録装置で出力するための出力画像データに色変換する色変換装置、色変換方法、画像処理システム、コンピュータが実行可能なプログラム、およびコンピュータが読み取り可能な記録媒体に関する。 
【背景技術】
【０００２】
インクジェット記録法は、高速記録可能で、いわゆる普通紙に特別の定着処理を要せずに記録でき、記録時の騒音発生が無視できる程度に小さい点で、オフィス用等として注目されている。従来から種々のインクジェット記録方式が提案され製品化されている。このようなインクジェット記録法は、インク液室と、それに連通したノズルが形成されたインクジェットヘッドを用いて、インク液室内のインクに画像情報に応じて、圧力を加えることにより、インク小滴をノズルから飛翔させ、紙やフィルムなどの被記録体に付着させて画像を形成する。また、ヘッドの構成からは、シリアルインクジェットプリンタとラインインクジェットプリンタがある。 
【０００３】
シリアルインクジェットプリンタは、インクジェットヘッドを紙の幅方向に走査（主走査）しながら画像を形成し、１回または複数回の走査が終了した後に、紙を搬送し次の記録ラインを形成するものである。他方、ラインシリアルプリンタは、ノズルがほぼ紙の幅方向全域に形成され、幅方向への走査は行なわずに、紙を搬送しながら記録していくものである。ラインシリアルプリンタは、幅方向の１ラインを一度に形成していくので記録速度が速いという長所があるが、（１）ヘッドが大きくなるためプリンタ全体として大きくなってしまうこと、（２）高解像度の記録を行なうには、ノズルそのものの配列を高密度にする必要があり、ヘッドの製造コストが高くなるという問題がある。これに対して、シリアルインクジェットプリンタは、比較的小さなヘッドで画像を形成していくため、装置のコストが安いという長所があり、現在数多くのシリアル型インクジェットプリンタが実用化されている。 
【０００４】
また、多色のインクジェット方式による画像出力装置では、イエロー（Ｙ）、マゼンタ（Ｍ）、シアン（Ｃ）の３色に、ブラック（Ｋ）を加えた４色を用いて混色でカラー画像の再現処理を行ってきた。しかしながら、現在ではＹ、Ｍ、Ｃ、Ｋ以外の色を用いて画像出力を行うことにより、より高品位な画像を得ようとの試みがある。例えば、上記のようなＹ、Ｍ、Ｃ、Ｋの４色による混色では色再現範囲に限界があった。特にそれぞれの２次色であるレッド（Ｒ）、グリーン（Ｇ）、ブルー（Ｂ）の彩度の高い色再現は、Ｙ、Ｍ、Ｃ、Ｋの混色で表現することになり、彩度が十分ではなく、色再現性が十分ではなかった。 
【０００５】
かかる欠点を補う目的で、特許文献１や特許文献２では、Ｙ、Ｍ、Ｃ、Ｋインクの他にＲ、Ｂ、Ｇインクで画像形成し、２次色の色再現性の向上と２次色のインク混色による色にじみを改善する技術が提案されている。 
【０００６】
また、画像階調の表現力を高め、階調表現と解像度との両立を目指すために、濃度の異なるインクを用いる技術も提案されている。例えば、特許文献３では、異なる複数濃度のインクを用いることで、単位画素（例えば、２×２のドットマトリクスから構成される）内に各インクドットの組み合わせにより画像の階調を表現し、比較的高い画像階調の表現力が得られると同時に、単位画素を構成するドットの数が増大していないため画像解像度が下がらない、という改善を行っている。 
【０００７】
以上説明したように、Ｙ、Ｍ、Ｃ、Ｋ以外の色を用いて画像出力を行う多色印刷により、色域の拡大、粒状度および階調性の改善が可能となる。ここで多色印刷を実現するためには入力画像色空間を出力装置の色空間に変換する色変換技術が必要であるが、その一例として、特許文献４に示す技術が提案されている。 
【０００８】
かかる特許文献４では、入力画像色空間ＲＧＢから最終的な出力画像色空間であるＣＭＹＫＰ（Ｐは任意の色）に変換するに当たり、ＲＧＢから従来公知であるＣＭＹＫ空間に一旦変換した後、再度ＣＭＹＫからＣＭＹＫＰに変換するという方法を採用している（特許文献４の図７）。 
【０００９】
しかしながら、かかる方法では、色版の生成量にも差異が発生するという問題がある。かかる問題が発生する理由を、図１７を参照して説明する。図１７（ａ）において、ＣＭＹからＫ、Ｒ、Ｇ、ＬＭの順に色分離を行う。また、図１７（ｃ）において、ＣＭＹからＫ、Ｇ、Ｒ、ＬＭの順に色分離を行う。同じ入力値を図１７（ａ）と図１７（ｃ）の各色分離順にて色分離した結果は図１７（ｂ）と図１７（ｄ）である。図１７（ｂ）と（ｄ）を比較すればわかるように、同じ入力値を色分離したにも関わらず、色分離順が異なることで出力値に差が生じている。これはＫ、Ｒ、Ｇ、ＬＭの各色を生成するにあたり、ＫはＣＭＹを、ＲはＭＹを、ＧはＣＹを、ＬＭはＭをＵＣＲ（Ｕｎｄｅｒ  Ｃｏｌｏｒ  Ｒｅｍｏｖａｌ、下色除去）する。そのためＲ→Ｇの順で分離するとＣＭＹＫ→ＣＭ’Ｙ’ＫＲ（ＭＹをＵＣＲ）→Ｃ’Ｍ’Ｙ’’ＫＲＧ（ＣＹ’をＵＣＲ）となり、またＧ→Ｒの順で分離するとＣＭＹＫ→Ｃ’ＭＹ’ＫＧ（ＣＹをＵＣＲ）→Ｃ’Ｍ’Ｙ’’ＫＲＧ（ＭＹ’をＵＣＲ）となり、順序が異なることでＵＣＲ量に差異が発生する、すなわち色版の生成量にも差異が発生する。このインク生成量の差異は、インク使用量の差異につながって色味に異常を来たす、またインクカートリッジ消費・交換に偏りが出るという問題を生じさせる。さらに、色分解処理を順次行うために、演算量が多く処理速度が遅いという課題がある。
【発明の概要】
【発明が解決しようとする課題】
【００１０】
本発明は、上記課題に鑑みてなされたものであり、入力画像データを、５色以上の色材を使用する記録装置で出力するための出力画像データに色変換する場合に、色分解順に起因する画像障害を解消して画像品質を向上させることが可能な色変換装置、色変換方法、画像処理システム、コンピュータが実行可能なプログラム、およびコンピュータが読み取り可能な記録媒体を提供することを目的とする。 
【００１１】
また、本発明は、記録装置での色材の使用量の偏りを防止することが可能な色変換装置、色変換方法、画像処理システム、コンピュータが実行可能なプログラム、およびコンピュータが読み取り可能な記録媒体を提供することを目的とする。 
【００１２】
また、本発明は、色変換処理を高速に行うことが可能な色変換装置、色変換方法、画像処理システム、コンピュータが実行可能なプログラム、およびコンピュータが読み取り可能な記録媒体を提供することを目的とする。 
【課題を解決するための手段】
【００１３】
上述した課題を解決し、目的を達成するために、本発明は、入力画像データを、５色以上の色材を使用する記録装置で出力するための出力画像データに色変換する色変換装置において、前記入力画像データを前記出力画像データに直接変換するための色変換テーブルと、前記色変換テーブルを使用して、前記入力画像データを前記出力画像データに直接変換する色変換手段と、を備えたことを特徴とする。
【００１４】
また、上述した課題を解決し、目的を達成するために、本発明は、入力画像データを、５色以上の色材を使用する記録装置で出力するための出力画像データに色変換する色変換方法において、前記入力画像データを前記出力画像データに直接変換するための色変換テーブルを使用して、前記入力画像データを前記出力画像データに直接変換する色変換工程を含むことを特徴とする。
【発明の効果】
【００１５】
本発明によれば、入力画像データを、５色以上の色材を使用する記録装置で出力するための出力画像データに色変換する色変換装置において、前記入力画像データを前記出力画像データに直接変換するための色変換テーブルと、前記色変換テーブルを使用して、前記入力画像データを前記出力画像データに直接変換する色変換手段と、を備えているので、５色以上の色材を使用する記録装置で出力するための出力画像データに色変換する場合に、色分解順に起因する画像障害を解消して画像品質を向上させること、記録装置での色材の使用量の偏りを防止すること、および色変換処理を高速に行うことが可能な色変換装置を提供することが可能になるという効果を奏する。
【００１６】
また、本発明によれば、入力画像データを、５色以上の色材を使用する記録装置で出力するための出力画像データに色変換する色変換方法において、前記入力画像データを前記出力画像データに直接変換するための色変換テーブルを使用して、前記入力画像データを前記出力画像データに直接変換する色変換工程を含んでいるので、５色以上の色材を使用する記録装置で出力するための出力画像データに色変換する場合に、色分解順に起因する画像障害を解消して画像品質を向上させること、記録装置での色材の使用量の偏りを防止すること、および色変換処理を高速に行うことが可能な色変換方法を提供することが可能になるという効果を奏する。
【図面の簡単な説明】
【００１７】
【図１】図１は、本実施の形態に係る画像処理システムの構成例を示す図である。
【図２】図２は、画像処理部の機能構成例を示す図である。
【図３】図３は、ＰＣのハードウェア構成例を示す図である。
【図４】図４は、色変換部による処理手順を説明するためのフローチャートである。
【図５】図５は、色変換テーブル（ＲＧＢ→ＣＭＹＫＲＧＬｍ）の構成例を示す図である。
【図６】図６は、ＲＧＢ→ＣＭＹＫＲＧ金に色変換する色変換テーブルの構成例を示す図である。
【図７】図７は、ＲＧＢ→ＣＭＹＫＲＧ白に色変換する色変換テーブルの構成例を示す図である。
【図８】図８は、プリンタに画像処理部を実装した画像処理システムの構成例を示す図である。
【図９】図９は、本実施の形態の色変換部の色変換処理と従来技術との差違を説明するための図である。
【図１０】図１０は、本実施の形態の色変換テーブルを説明するための図である（その１）。
【図１１】図１１は、本実施の形態の色変換テーブルを説明するための図である（その２）。
【図１２】図１２は、インクジェット記録装置の機構部の概略斜視図である。
【図１３】図１３は、図１２のインクジェット記録装置のインクジェットヘッドの要部断面図である。
【図１４】図１４は、図１２のインクジェットヘッドのノズルの説明図である。
【図１５】図１５は、図１２の制御部の要部ブロック図である。
【図１６−１】図１６−１は、色変換テーブルの構成例を説明するための図である。
【図１６−２】図１６−２は、色変換テーブルの構成例を説明するための図である。
【図１６−３】図１６−３は、色変換テーブルの構成例を説明するための図である。
【図１６−４】図１６−４は、色変換テーブルの構成例を説明するための図である。
【図１６−５】図１６−５は、色変換テーブルの構成例を説明するための図である。
【図１７】図１７は、従来の色変換処理を説明するためのフローチャートである。
【発明を実施するための形態】
【００１８】
以下に、この発明につき図面を参照しつつ詳細に説明する。なお、この実施の形態によりこの発明が限定されるものではない。また、下記実施の形態における構成要素には、当業者が容易に想定できるものまたは実質的に同一のものが含まれる。
【００１９】
（実施の形態１）
本発明に係る色変換装置、色変換方法、画像処理システム、コンピュータが実行可能なプログラム、およびコンピュータが読み取り可能な記録媒体を適用した画像処理システムの実施の形態１を詳細に説明する。
【００２０】
［画像処理システム］
図１は本実施の形態に係る画像処理システムの構成例を示す図である。同図において、画像処理システム１は、情報処理装置であるＰＣ（Ｐｅｒｓｏｎａｌ  Ｃｏｍｐｕｔｅｒ）１０と、記録装置であるプリンタ２０とが、ネットワークで接続され、または、有線（例えば、ケーブル）・無線で直接接続されて構築されている。
【００２１】
ＰＣ１０は、入力部１１、および画像処理部１２等を備えている。入力部１１は、画像処理部１２に対して印刷対象とされた画像データを入力する。画像処理部１２は、入力された画像データをプリンタ２０の印刷に適した画像データに変換するための画像処理を実行する。画像処理部１２は、一般的にプリンタドライバと呼ばれるソフトウェアに組み込まれる。
【００２２】
プリンタ２０は、例えば、インクジェット記録方式のプリンタであり、出力部２１等を備えている。出力部２１は、ＰＣ１０の画像処理部１２によって画像処理が施された画像データをＰＣ１０から受信して、受信した画像データをプリンタ２０に印刷させるための処理を制御する。 
【００２３】
図２は、画像処理部１２の機能構成例を示す図である。同図において、画像処理部１２は、色変換を行う色変換部１２１、γ補正を行うγ補正部１２２、中間調処理を行う中間調処理部１２３、色変換部１２１による色変換に用いられるＬＵＴ（Ｌｏｏｋ  Ｕｐ  Ｔａｂｌｅ）である色変換テーブル１２４、およびγ補正部１２２によるγ補正に用いられるＬＵＴ（Ｌｏｏｋ  Ｕｐ  Ｔａｂｌｅ）であるγ補正テーブル１２５等を備えている。
【００２４】
色変換部１２１は、色変換テーブル１２４を使用して、入力される画像データ（ＲＧＢ）の色空間をインク色であるＣＭＹＫ＋α（例えば、ＣＭＹＫＲＧＬｍ）に直接変換して、画像データ（ＣＭＹＫ＋α）をγ補正部１２２に出力する。γ補正部１２２は、γ補正テーブル１２５を使用して、色変換部１２１によって色変換された画像データ（ＣＭＹＫ＋α）に対してγ補正（濃度補正）を行う。中間調処理部１２３は、γ補正された画像データ（ＣＭＹＫ＋α）に対して、ディザ法又は誤差拡散法等による擬似階調処理を行い、画像データの階調数をプリンタ２０に対応した階調数（例えば、２ｂｉｔ）に変換し、プリンタ２０の出力部２１に出力する。
【００２５】
なお、色変換部１２１が変換する「画像データ」は、中間調により色を表現する際の所定の単位毎のデータである。
【００２６】
図３は、図１のＰＣ１０のハードウェア構成例を示す図である。ＰＣ１０は、図３に示すように、ドライブ装置１００と、補助記憶装置１０２と、メモリ装置１０３と、ＣＰＵ１０４と、インタフェース装置１０５と、表示装置１０６と、入力装置１０７と備え、各部はバスＢで接続されている。
【００２７】
ＰＣ１０での処理を実現するプログラムは、ＣＤ−ＲＯＭ等の記録媒体１０１によって提供される。プログラムを記録した記録媒体１０１がドライブ装置１００にセットされると、プログラムが記録媒体１０１からドライブ装置１００を介して補助記憶装置１０２にインストールされる。補助記憶装置１０２は、インストールされたプログラムを格納すると共に、必要なファイルやデータ等を格納する。例えば、色変換テーブル１２４及びγ補正テーブル１２５は、補助記憶装置１０２に記録される。
【００２８】
メモリ装置１０３は、プログラムの起動指示があった場合に、補助記憶装置１０２からプログラムを読み出して格納する。ＣＰＵ１０４は、メモリ装置１０３に格納されたプログラムに従ってＰＣ１０に係る機能を実現する。インタフェース装置１０５は、ネットワークに接続するためのインタフェースとして用いられる。表示装置１０６はプログラムによるＧＵＩ（Ｇｒａｐｈｉｃａｌ  Ｕｓｅｒ  Ｉｎｔｅｒｆａｃｅ）等を表示する。入力装置１０７はキーボード及びマウス等で構成され、様々な操作指示を入力させるために用いられる。なお、プログラムのインストールは必ずしも記録媒体１０１より行う必要はなく、ネットワークを介して他のコンピュータよりダウンロードするようにしてもよい。
【００２９】
［色変換部および色変換テーブル］
以下、上記図２の画像処理部１２の色変換部１２１および色変換テーブル１２４について詳細に説明する。図４は、上記図２の画像処理部１２の色変換部１２１による処理手順を説明するためのフローチャートである。図４において、入力部１１は、入力される画像データを色変換部１２１に出力する（ステップＳ１０１）。色変換部１２１は、色変換テーブル１２４を参照して（ステップＳ１０２）、入力画像データを色変換し、その変換値（出力値）を出力する（ステップＳ１０４）。ここでは、ＲＧＢデータをＣＭＹＫＲＧＬｍデータに変換する場合について説明する。
【００３０】
図５は、色変換テーブル（ＲＧＢ→ＣＭＹＫＲＧＬｍ）の構成例を示す図である。同図に示すように、色変換テーブル１２４には、入力値（格子点）であるＲＧＢ値と、出力値（格子点値）であるＣＭＹＫＲＧＬｍ値とが対応づけて登録されている。ここで、格子点の間の入力値に対する出力値については、立方体補間、三角柱補間、又は四面体補間等の補間計算処理によって補間値を算出する。図５では、ＲＧＢからＣＭＹＫＲＧＬｍへの色変換について説明したが、他の色変換についても同様に行うことができる。図６は、ＲＧＢ→ＣＭＹＫＲＧ金に色変換する色変換テーブルの構成例、図７はＲＧＢ→ＣＭＹＫＲＧ白に色変換する色変換テーブルの構成例を示す。
【００３１】
なお、色変換テーブル１２４に対してγ補正テーブル１２５を用いて濃度補正を行ったテーブルを使用し、γ補正部１２２の処理を省略しても良い。この処理により、色変換処理と濃度補正を同時に行うことができ、処理時間を短縮することができる。
【００３２】
また、図１に示す画像処理システム１は、画像処理部１２をＰＣ１０に実装することとしたが、ＰＣ１０の替わりにプリンタ２０に実装する構成としてもよい。図８はプリンタに画像処理部１２を実装した画像処理システム１の構成例を示している。同図において、ＰＣ１０は、色変換前のＲＧＢデータをプリンタ２０に送出し、プリンタ２０の画像処理部１２により色変換等の画像処理が行われる。
【００３３】
［色変換部］
本実施の形態の色変換部１２１の色変換処理を従来技術と対比して説明する。図９は、本実施の形態の色変換部１２１の色変換処理と従来技術との差違を説明するための図であり、（ａ）は従来技術、（ｂ）は本実施の形態の色変換処理を示している。
【００３４】
従来技術では、（ａ）に示すように、ＲＧＢ→ＣＭＹ→ＣＭＹＫ→ＣＭＹＫＲ→ＣＭＹＫＲＧ→ＣＭＹＫＲＧＬＭの順に色変換が行われる。すなわち、ＣＭＹＫ以外の追加色データは、ＣＭＹＫデータに基づいて生成される。このため、上記図１７で説明したように、色分解順によってはインク生成量に偏りが発生し、色味に異常をきたすなど画質低下を招く要因となっている。また、従来技術では、色分解処理を順次行うために、演算量が多く処理速度が遅くなるという問題がある。
【００３５】
これに対して、本実施の形態の色変換処理では、（ｂ）で示すように、色変換テーブルを使用して、例えば、ＲＧＢ→ＣＭＹＫＲＧＬＭに直接色変換が行われる。すなわち、本実施の形態では、ＣＭＹＫおよびＣＭＹＫ以外の追加色データについても、途中の中間データを経ずに出力データへ直接変換している。直接変換を行うことにより、色分解順に起因するインク生成量の偏りを生じさせることがなくなり、インク使用量の差異につながって色味に異常をきたし、また、インクカートリッジ消費・交換に偏りが出るという問題を解決することができる。また、色分解処理が一括の処理で可能になるため、演算量が少なく処理速度を高速化することができる。
【００３６】
図１０および図１１を参照して、本実施の形態の色変換テーブルの作成方法を説明する。まず、色変換テーブルの設計方針として、白（８ｂｉｔの場合、Ｒ＝Ｇ＝Ｂ＝２５５）と黒（８ｂｉｔの場合、Ｒ＝Ｇ＝Ｂ＝０）以外でＲ、Ｇ、Ｂのいずれかが最大（８ｂｉｔの場合、２５５）もしくは最小（８ｂｉｔの場合、０）であるときに、組み合わせ可能な色を必要最小数とする。
【００３７】
ここで「必要最小数」とは、狙いの色を表現するために必要最低限の数の色材のみ用いるということである。例えば、ＣＭＹＫＲからなる印刷装置において、赤色相のハイライト側（白〜赤２５５階調）を表現する場合にはＲインクのみを用い、赤色相のシャドー側（赤２５５階調〜黒）を表現する場合にはＲ＋Ｋインクを使用する。また、赤色相と黄色相の間にある橙色を表す場合は、橙色相のハイライト側（白〜橙２５５階調）を表現する場合にはＲ＋Ｙインクのみを用い、赤色相のシャドー側（橙２５５階調〜黒）を表現する場合にはＲ＋Ｙ＋Ｋインクを使用する。このように、使用する色材の数を必要最小数とすることで、インク使用量を最小化することができる。インク使用量の最小化により、画像に関する不具合ではコックリング（インク吸収による紙のたわみ）、ビーディング（滴の癒着によるざらつき）、ブリーディング（色境界のニジミ）を抑制できる。また、インク使用量が低減されることからインクカートリッジの交換回数を低減でき、低コストでの印刷装置使用が可能となる。
【００３８】
図１０は、上記設計方針により色相毎に色変換テーブルを設計した場合の例である。ここで色相毎とは、印刷装置に搭載するインク色の色相を示す。次いで、図１１では、図１０で設計した色変換テーブルから、その他の色を含む入力画像データの色全体を包含する変換テーブルを補間演算にて作成する方法を示している。なお、図１１では、入力画像データの色空間をＲＧＢからＨＬＳに変換して補間演算を行っているが、ＲＧＢ空間でそのまま補間演算を行っても良いし、またＨＳＢなど別の色空間を用いてもよい。かかる色変換テーブルは、以下の（１）〜（９）のように構成することができる。
【００３９】
（１）入力画像がＲ＝Ｇ＝ＢであるときにＫのみを変換結果として出力する。これにより、ＣＭＹＫ＋追加色を用いる構成においても、色転びのないグレーバランスを再現することができる。 
【００４０】
（２）入力画像がＲ＝Ｇ＝Ｂであるときにプリンタで印刷に使用されるインク色すべてを変換結果として出力する。これにより、ＣＭＹＫ＋追加色ごとにノズルが存在する構成においても、ノズルの乾燥を防ぐことができ、メンテナンス頻度の低い高生産性のプリンタを提供することができる。
【００４１】
（３）入力画像のＲ、Ｇ、Ｂのいずれもが最大もしくは最小以外であるときに記録装置で使用される全ての色を用いて出力することで、さらにノズルの乾燥を防ぐことができ、よりメンテナンス頻度の低い高生産性のプリンタを提供することができる。
【００４２】
（４）出力時の明度もしくは濃度に応じて、インク使用構成を変えてもよく、出力時の明度もしくは濃度に応じて、全インク色を出力することにしてもよい。例えば、ＣＩＥＬＡＢ  Ｄ５０−２°環境において、明度（Ｌ＊）が６０以下またはＫ成分濃度が０．５５以上にて、全インク色を使用してもよい。同領域であれば、カラーインク１ないし２次色で表現される領域において、補色成分やＫを含むインクを極少量吐出しても、画像上では目立たない。したがって、記録装置で使用される全ての色を用いて出力することで、さらにノズルの乾燥を防ぐことができ、メンテナンス頻度の低い高生産性のプリンタを提供することができる。 
【００４３】
（５）５色以上のインクに、ＣＭＹＫいずれか２色を組み合わせて表現可能な色、すなわちＲ（Ｍ＋Ｙ）、Ｇ（Ｃ＋Ｙ）、Ｂ（Ｃ＋Ｍ）などを含めることにしてもよい。これにより、色域を広げることができる（図５参照）。 
【００４４】
（６）５色以上のインクに、ＣＭＹＫいずれかを低濃度にした色または高明度にした色、すなわち、ＬＣ（Ｃを薄くしたもの）、ＬＭ（Ｍを薄くしたもの）などを含めることにしてもよい。これにより、特にハイライト部の粒状感・階調性を改善することができる（図５参照）。 
【００４５】
（７）５色以上のインクに、ＣＭＹＫいずれかを高濃度にした色または低明度にした色、すなわち、ＤＹ（Ｙを濃くしたもの）、ＤＭ（Ｍを濃くしたもの）などを含めることにしてもよい。これにより、特にシャドー部の粒状感・階調性を改善することができる（図５参照）。 
【００４６】
（８）５色以上のインクに、白色を含めることにしてもよい。これにより、紙面の白色度を向上させられ、ダイナミックレンジ（画像の明暗の差）を広げることができる（図７参照）。 
【００４７】
（９）５色以上のインクに、金属色、すなわち金色、銀色などを含めることにしてもよい。これにより、金属光沢を帯びた色を表現することができる（図６参照）。ここで、金属色の表現を行うには、次に示す方法がある。 
【００４８】
第１の例として、ＲＧＢ値で特定のデータが含まれる場合に金属色を使用することができる。例えば、金色を示す値｛Ｍｉｃｒｏｓｏｆｔ  Ｗｉｎｄｏｗｓ（登録商標）ではＲＧＢ＝（２５５，２０４，０）、インターネット上で用いられるＷｅｂカラーではＲＧＢ＝（２５５，２１５，０）｝が含まれる場合に金粉もしくは黄銅のような金色に近い金属粉を使用することができる。また、銀色を示す値（インターネット上で用いられるＷｅｂカラーではＲＧＢ＝（１９２，１９２，１９２））が含まれる場合に、銀粉またはアルミのような銀色に近い金属粉を使用することができる。
【００４９】
第２の例としては、画像データのヒストグラムを解析して金属部分を検出、例えば、画像データに金属食器を示す部分がある場合にその部分を検出し、当該部分が存在するときに専用の色変換テーブルを用いて金属色を出力することができる。これらの方法により、通常の顔料または染料では表現できない光沢感のある金色を表現することができる。
【００５０】
以上説明したように、実施の形態１によれば、色変換部１２１は色変換テーブル１２４を使用して、入力画像データを、最大で５色以上の色材で表現する出力画像データに直接変換することとしたので、色分解順に起因するインク使用量の偏りを取り除くことができ、色味に異常をきたすことを防止でき、また、インクカートリッジ消費・交換の偏りを防止でき、さらに、色分解処理が一括の処理で可能になるため、演算量が少なく処理速度を高速化することが可能となる。
【００５１】
また、実施の形態１によれば、色材の数を最小化することで、インク使用量を低減でき、コックリング、ビーディング、ブリーディングを抑制するとともに、インク消費量を抑制することができる。
【００５２】
また、実施の形態１によれば、入力画像がＲ＝Ｇ＝Ｂであるときにプリンタで印刷に使用されるインク色すべてを変換結果として出力することで、ＣＭＹＫ＋追加色ごとにノズルが存在する構成においても、ノズルの乾燥を防ぐことができ、メンテナンス頻度の低い高信頼性かつ高生産性のプリンタを提供することができる。
【００５３】
また、実施の形態１によれば、色変換処理と濃度補正を同時に行うこととしたので、画像処理段数を低減でき、処理を高速化することができる。 
【００５４】
また、実施の形態１によれば、明度もしくは濃度に応じてインク使用数を変化させることで、好ましくは明度６０以下もしくはＫ成分濃度０．５５以上の領域にてプリンタで印刷に使用されるインク色すべてを出力することで、ＣＭＹＫ＋追加色ごとにノズルが存在する構成においても、ノズルの乾燥を防ぐことができ、メンテナンス頻度の低い高信頼性かつ高生産性のプリンタを提供することができる。
【００５５】
また、実施の形態１によれば、入力画像データのＲ、Ｇ、Ｂのいずれもが最大もしくは最小以外であるときに記録装置で使用される全ての色を用いて出力することで、よりノズルの乾燥を防ぐことができ、メンテナンス頻度の低い高信頼性かつ高生産性のプリンタを提供することができる。 
【００５６】
また、実施の形態１によれば、５色以上のインクにＣＭＹＫいずれか２色を組み合わせた色、ＣＭＹＫいずれか２色を組み合わせて表現可能な色、すなわちＲ（Ｍ＋Ｙ）、Ｇ（Ｃ＋Ｙ）、Ｂ（Ｃ＋Ｍ）などが含まれることで、色域を広げることができる。
【００５７】
また、実施の形態１によれば、５色以上のインクにＣＭＹＫいずれかを薄くした色、すなわちＬＣ（Ｃを薄くしたもの）、ＬＭ（Ｍを薄くしたもの）などが含まれることで、粒状感・階調性を改善することができる。
【００５８】
また、実施の形態１によれば、５色以上のインクにＣＭＹＫいずれかを濃くした色、すなわちＤＹ（Ｙを濃くしたもの）、ＤＭ（Ｍを濃くしたもの）などが含まれることで、粒状感・階調性を改善することができる。
【００５９】
また、実施の形態１によれば、５色以上のインクに白色が含まれることで、紙面の白色度を向上させ、色域を広げることができる。
【００６０】
また、実施の形態１によれば、入力画像がＲ＝Ｇ＝ＢであるときにＫのみを変換結果として出力することで、ＣＭＹＫ＋追加色を用いる構成においても、色転びのないグレーバランスを再現することができる。
【００６１】
また、実施の形態１によれば、５色以上のインクに金属色、すなわち金色、銀色などが含まれることで、金属光沢を帯びた色を表現することができる。
【００６２】
［記録装置］
つぎに、上記図１のプリンタ２０の具体的構成について説明する。本実施の形態では、プリンタ２０をシリアルプリンタ方式のインクジェット記録装置で構成した場合について説明する。このインクジェット記録装置では、ＣＭＹＫＲＧの６色のインク（色材）を使用した場合を一例として説明する。図１２は、インクジェット記録装置の機構部の概略斜視図、図１３は図１２のインクジェット記録装置のインクジェットヘッドの要部断面図、図１４は図１２のインクジェットヘッドのノズルの説明図、図１５は図１の制御部の要部ブロック図である。
【００６３】
図１２において、本実施の形態に係るインクジェット記録装置は、フレーム２０１に横架したガイドレール２０２，２０３にキャリッジ２０４を移動可能に装着し、このキャリッジ２０４に印字ヘッド２０５を搭載して、図示しないモータ等の駆動源によってキャリッジ２０４を矢示Ａ方向に移動可能とすると共に、ガイド板２０６にセットされる被印字媒体である用紙２０７を、図示しない駆動源によってドライブギヤ２０８及びスプロケットギヤ２０９を介して回動される送りノブ２１０ａを備えたプラテン２１０にて取込み、プラテン２１０周面とこれに圧接するプレッシャローラ２１１とによって矢示Ｂ方向に搬送可能としている。
【００６４】
このインクジェット記録装置では、印字ヘッド２０５（キャリッジ２０４）を主走査方向（矢示Ａ方向）に移動走査させながら、用紙２０７を副走査方向（矢示Ｂ方向）に搬送して、印字ヘッド２０５からインク滴を噴射させて用紙２０７に画像を印字する。
【００６５】
次に、キャリッジ２０４、印字ヘッド２０５、ならびにインク供給系を詳細に説明する。キャリッジ２０４には、シアン（Ｃ）、マゼンタ（Ｍ）、イエロー（Ｙ）、ブラック（Ｂｋ）、レッド（Ｒ）、グリーン（Ｇ）の各色のインク液滴を吐出するインクジェットヘッドからなる印字ヘッド２０５が具備され、このヘッド２０５は複数のインク吐出口を主走査方向と交叉する方向に配列し、インク液滴の吐出方向を下方に向けて装着される。また、キャリッジ２０４には印字ヘッド２０５に各色のインクを供給するための各インクカートリッジを交換可能にして装着されている。
【００６６】
インクカートリッジは上方に大気と連通する大気口、下方にはインクジェットヘッドへインクを供給する供給口を、内部にはインクが充填された多孔質体を有しており、多孔質体の毛管力によりインクジェットヘッドへ供給されるインクを僅かながら負圧して維持している。
【００６７】
また、本例では、印字ヘッド２０５として各色個別構成のヘッドを用いて構成しているが、各色のインク液滴を吐出するノズル列を有する１個のヘッド構成としてもよい。さらに、インクを加圧してインク液滴を形成せしめる印字ヘッド（インクジェットヘッド）２０５としては、ピエゾ素子などの電気機械変換素子で液室壁面を形成し、振動板を介してインク加圧する圧電型若しくはインク流路壁面を形成する振動板とこれに対向する電極との間の静電気力で振動板を変位させてインク加圧する静電型などを使用することができるが、本実施例では圧電型インクジェットヘッドを利用した場合について説明する。
【００６８】
印字ヘッド２０５は、図１３及び図１４に示すように、液室２１４を形成する液室形成部材２１５の前面に複数のノズル２１６を形成したノズルプレート２１７が設けられ、図示しない圧電素子によるエネルギー発生手段であるアクチュエータによって液室２１４内のインクに圧力を与えることによって、液室２１４内のインクがノズルプレート２１７のノズル２１６からインク滴２１８となって飛翔して前記用紙２０７にドットとして付着する。このとき、各液室２１４に圧力を与えるアクチュエータを選択的に駆動することによって所望の画像の印字を行うことができる。
【００６９】
この印字ヘッド２０５においては、複数のノズル２１６が複数のドット形成手段を構成しており、ノズル２１６の列（ノズル列）を主走査方向に対して直交させて配置し、ノズル２１６−２１６間のピッチは２×Ｐｎである。また、１つのヘッドにはノズル列が距離Ｌ隔てて２列形成されている。２列のノズル列は副走査方向にＰｎずれて千鳥状に配置され、２列のノズル列を用いることで、ピッチＰｎの画像を１回の主走査及び副走査で形成することが可能である。
【００７０】
本実施例の形態のインクジェット記録装置では、装置内に画像の描画または文字のプリント命令を受けて実際に記録するドットパターンを発生する機能を持たない例を示す。すなわち、ホストコンピュータ（ＰＣ等）で実行されるアプリケーションソフトなどからのプリント命令はホストコンピュータ内にソフトウェアとして組み込まれたプリントドライバで処理されて記録ドットパターンのデータにラスタライズされ、それがインクジェット記録装置に転送されてプリントされる。
【００７１】
具体的には、ホストコンピュータ内のアプリケーションやオペレーティングシステムからの画像の描画または文字の記録命令（例えば記録する線の位置と太さと形などを記述したものや、記録する文字の書体と大きさと位置などを記述したもの）は描画データメモリに一時的に保存さる。尚、これらの命令は、特定のプリント言語で記述されたものである。描画データメモリに記憶された命令は、ラスタライザによって解釈され、線の記録命令であれば、指定された位置や太さ等に応じた印字ドットデータに変換され、また、文字の記録命令であればホストコンピュータ内に保存されているフォントアウトラインデータから対応する文字の輪郭情報を呼びだし指定された位置や大きさに応じてた印字ドットデータに変換されてラスタデータメモリに記憶される。このとき、ホストコンピュータは、従来の直交格子を基本記録位置として、印字ドットデータにラスタライズする。このラスタデータメモリに記憶された印字ドットデータがインタフェースを経由してインクジェット記録装置へ転送されるものである。
【００７２】
図１２のインクジェット記録装置の制御部は、図１５に示すように、印字制御部２２１、印字ヘッド２０５の各アクチュエータを駆動するヘッド駆動部２２２、キャリッジ２０４を駆動制御するキャリッジ駆動制御部２２３、プラテン２１０を回転駆動するラインフィード駆動制御部２２４、データ処理部２２５等を備えている。
【００７３】
ＰＣ１０から送られた印字ドットデータは、図示しないラスタデータメモリに保存される。データ処理部２２５は、ラスタデータメモリに格納した印字ドットデータに対して、所定の処理を施して印字制御部２２１に出力する。印字制御部２２１は、データ処理部２２５から入力される印字ドットデータに基づいて、ヘッド駆動部２２２を介して印字ヘッド２０５の所定のノズル孔２１６からインク滴を吐出（噴射）させて、印字ドットデータに応じた画像を用紙２０７上に記録させると共に、キャリッジ駆動制御部２２３を介してキャリッジ２０４の移動（主走査）及びラインフィード駆動制御部２２４を介してプラテン２１０の回動、すなわち用紙２０７の搬送（副走査）を制御する。
【００７４】
（実施の形態２）
実施の形態２に係る色変換部１２１および色変換テーブル１２４について説明する。画像処理システム１、画像処理部１２、および記録装置の構成は実施の形態１と同様であるのでその説明は省略し、異なる点についてのみ説明する。図１６−１〜図１６−５は色変換テーブル１２４の一例を説明するための図である。
【００７５】
（１）上記図１１の色変換テーブル１２４では、使用する色材の数を必要最小数とすることで、インク使用量を最小化して低コスト印刷が可能となる。しかしながら、インク使用数を単純に最小化した場合、使用されるノズル数が少ないため、未使用ノズルで乾燥が生じ、吐出不良となる可能性がある。例えば、図１６−１に示す例では、１色（Ｃ）のノズルのみを使用することになるので、他の色のノズルが乾燥してしまう場合がある。
【００７６】
そこで、実施の形態２では、必要最小数とした色以外にも、他の少なくとも１色のインクを極微量吐出することで、ノズルの乾燥、ひいては吐出不良を抑制する。すなわち、実施の形態２では、入力画像データを出力画像データに直接変換する場合に、色材の数の必要最小数をＮとした場合に、Ｎ＋１以上の色材で表現するように色変換テーブル１２４を構成する。図１６−２および図１６−３に示す例では、必要最小数となるＣ以外にも、Ｍ，Ｙ，Ｋ，Ｒ，Ｇ，Ｂを極微量吐出する。
【００７７】
このように、使用する色材の数を必要最小数とせずに、さらに別の色を微少量吐出することにより、吐出不良を防止した上で、出力画像に関する不具合に関しては、コックリング（インク吸収による紙のたわみ）、ビーディング（滴の癒着によるざらつき）、およびブリーディング（色境界のニジミ）等を抑制することが可能となる。
【００７８】
（２）上記実施の形態１の［色変換部］の（２）の説明では、入力画像がＲＧＢデータであり、かつ、Ｒ＝Ｇ＝Ｂであるときにプリンタ２０で印刷に使用されるインク色の全てを変換結果として出力することとしている。確かに、未使用ノズルをできるだけ設けないという点では好ましいが、全色を使用することはインクの使用量が多くなり、コスト面で不利である。例えば、図１６−４に示す例では、Ｃ、Ｍ、Ｙ、Ｋが多くの量、Ｒ，Ｇ，Ｂが少量使用される。
【００７９】
そこで、少なくともプリンタ２０に搭載したインク色から１色を使用しないことで、インク消費量を抑えながらもノズルの乾燥を防ぐことができる。すなわち、入力画像データがＲＧＢデータであり、かつ、Ｒ＝Ｇ＝Ｂである場合は、プリンタ２０で使用される全ての色材の数をＰとした場合に、Ｐ−１の色材で表現される出力画像データに変換するように色変換テーブル１２４を構成する。例えば、図１６−５に示す例では、Ｃ、Ｍ、Ｙ、Ｋが多くの量、Ｇ，Ｂが少量使用され、Ｒが使用されない。
【００８０】
具体的には、高彩度領域では補色成分の１色を使用しないことが望ましい。また、異なるインク構成で同じグレー再現となるような色変換テーブルを複数設け、画像やスキャン毎に色変換テーブルを切り替えて使用することによっても同様の効果を得ることができる。
【００８１】
以上説明したように、実施の形態２によれば、色変換部１２１は色変換テーブル１２４を使用して、入力画像データを、最大で５色以上の色材で表現される出力画像データに直接変換する場合に、色材の数の必要最小数をＮとした場合に、Ｎ＋１以上の色材で表現することとしたので、ノズルの乾燥を防止して吐出不良を防止した上で、画像に関する不具合ではコックリング（インク吸収による紙のたわみ）、ビーディング（滴の癒着によるざらつき）、ブリーディング（色境界のニジミ）を抑制することが可能となる。
【００８２】
また、実施の形態２によれば、入力画像がＲＧＢデータであり、かつ、Ｒ＝Ｇ＝Ｂであるときにプリンタで印刷に使用される色の少なくとも１色を除いた色を変換結果として出力することとしたので、ＣＭＹＫ＋追加色ごとにノズルが存在する構成においても、ノズルの乾燥を防ぐことができ、メンテナンス頻度の低い高信頼性かつ高生産性のプリンタを提供することができる。
【００８３】
なお、上記した実施の形態１および実施の形態２は、組み合わせて実施可能である。
【００８４】
（プログラム）
なお、本発明の色変換装置は、複数の機器（例えば、ホストコンピュータ、インタフェース機器、スキャナ、プリンタ等）から構成されるシステムに適用しても、１つの機器から構成される装置（ホストコンピュータ等）に適用しても良い。 
【００８５】
また、本発明の目的は、上述した色変換装置の機能を実現するソフトウェアのプログラムコードを記録した記録媒体を、システムまたは装置に供給し、そのシステムまたは装置のコンピュータ（または、ＣＰＵ、ＭＰＵ、ＤＳＰ）が記録媒体に格納されたプログラムコードを実行することによっても達成することが可能である。この場合、記録媒体から読み出されたプログラムコード自体が前述した色変換装置の機能を実現することになり、そのプログラムコードまたはそのプログラムを記憶した記録媒体は本発明を構成することになる。プログラムコードを供給するための記録媒体としては、ＦＤ、ハードディスク、光ディスク、光磁気ディスク、ＣＤ−ＲＯＭ、ＣＤ−Ｒ、磁気テープ、不揮発性のメモリ、ＲＯＭなどの光記録媒体、磁気記録媒体、光磁気記録媒体、半導体記録媒体を使用することができる。
【００８６】
また、コンピュータが読み出したプログラムコードを実行することにより、前述した色変換装置の機能が実現されるだけでなく、そのプログラムコードの指示に基づき、コンピュータ上で稼働しているＯＳ（オペレーティングシステム）などが実際の処理の一部または全部を行い、その処理によって前述した色変換装置の機能が実現される場合も含まれること言うまでもない。
【００８７】
また、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した色変換装置の機能が実現される場合も含まれることは言うまでもない。
【００８８】
なお、上記実施の形態においては、本発明をインクジェット記録装置に適用した例で説明したが、プリンタ、ファクシミリ装置、複写装置、プリンタ／ファックス／コピア複合機などにも適用することができ、また、インク以外の記録液を用いた画像形成装置やこの画像形成装置に印刷データを与えるデータ処理装置及びこのデータ処理装置に搭載されるプリンタドライバなどにも適用することができる。
【産業上の利用可能性】
【００８９】
本発明に係る色変換装置、色変換方法、画像処理システム、コンピュータが実行可能なプログラム、およびコンピュータが読み取り可能な記録媒体は、特色を含めた５色以上の色材を使用する記録装置で色再現する場合に有用であり、例えば、カラーファクシミリ、カラープリンタ、カラーハードコピー等の画像出力装置や、パソコン、ワークステーション上で稼動するカラープリンタ用ソフトウェアなどに適用可能である。
【符号の説明】
【００９０】
１  画像処理システム
１０  ＰＣ
２０  プリンタ
１１  入力部
１２  画像処理部
２１  出力部
１２１  色変換部
１２２  γ補正部
１２３  中間調処理部
１２４  色変換テーブル
１２５  γ補正テーブル
【先行技術文献】
【特許文献】
【００９１】
【特許文献１】特開平８−２４４２５４号公報
【特許文献２】特開平１０−４４４７３号公報
【特許文献３】特開昭６０−１９５３８号公報
【特許文献４】特開２００２−１５４２３９号公報
【図１】
2010233200.tif 000003
【図２】
2010233200.tif 000004
【図３】
2010233200.tif 000005
【図４】
2010233200.tif 000006
【図５】
2010233200.tif 000007
【図６】
2010233200.tif 000008
【図７】
2010233200.tif 000009
【図８】
2010233200.tif 000010
【図９】
2010233200.tif 000011
【図１０】
2010233200.tif 000012
【図１１】
2010233200.tif 000013
【図１２】
2010233200.tif 000014
【図１３】
2010233200.tif 000015
【図１４】
2010233200.tif 000016
【図１５】
2010233200.tif 000017
【図１６−１】
2010233200.tif 000018
【図１６−２】
2010233200.tif 000019
【図１６−３】
2010233200.tif 000020
【図１６−４】
2010233200.tif 000021
【図１６−５】
2010233200.tif 000022
【図１７】
2010233200.tif 000023